【事件の表示】
　平成１１年特許願第　８８６９２号「画像処理装置」拒絶査定不服審判事件〔平成１２年１０月１０日出願公開、特開２０００−２８０５２５〕について、次のとおり審決する。
【結　論】
　本件審判の請求は、成り立たない。
【理　由】
 　
１．手続の経緯・本願発明
　本願は、平成１１年３月３０日の出願であって、平成２０年７月７日付けで明細書について補正がなされ、同年１１月１１日付けで拒絶査定がなされ、これに対して同年１２月１８日に拒絶査定不服審判が請求されたものである。
　本願の発明は、平成２０年７月７日付けで補正された特許請求の範囲の請求項１ないし２に記載されたものと認められるところ、その請求項１に記載された発明（以下「本願発明」という。）は、次のとおりのものである。
　
「　タンデム型画像形成装置において、各色のデータごとに主走査Ｎドット（Ｎは整数）および副走査Ｍドット（Ｍは整数）の単位で固定長圧縮をする固定長圧縮手段と、
　固定長圧縮されたデータを記憶する画像メモリと、
　主走査アドレスを、各色の画像データに応じて感光体上にラスタ露光をする際に生じるスキュー量および印字開始位置について補正し、補正した主走査アドレスと副走査アドレスから前記画像メモリのリードアドレスを発生するアドレス発生部と、
　前記アドレス発生部で発生されたアドレスで前記画像メモリから読み出した各色の画像データを伸長する伸長部と
　からなり、
　前記画像メモリは、固定長圧縮時に複数ラインごとに１回データを書きこみ、前記伸長部は、複数ライン内で所定ライン回数分繰り返して読み出して復号を行う画像処理装置。」
　
　なお、「前記画像メモリは、固定長圧縮時に複数ラインごとに１回データを書きこみ、前記伸長部は、複数ライン内で所定ライン回数分繰り返して読み出して復号を行う」構成において、「固定長圧縮時に複数ラインごとに１回データを書きこみ」の「（圧縮時の）複数ライン」と、「複数ライン内で所定ライン回数分繰り返して読み出して復号を行う」の「（復号時の）複数ライン」とが、同じか否かは、当該記載のみからは不明ではある。しかしながら、本願明細書には、「データメモリ４１２への
書き込みは、圧縮時の複数ライン（Ｎ＝４）ごとに１回行なう
Ｎライン分の伸長の後の画像データをラスター順に出力するために、読み出しは複数ライン（Ｎライン）内で所定ライン回数分繰り返して行う
複数ラインについて１回固定長圧縮データを入力し
複数ライン内で所定ライン回数分繰り返して復号処理を実行していることに特徴があります
図１５に示された例（Ｎ＝４）では、データメモリが１回分のデータを書き込むごとに
伸長部は固定長圧縮データを４回復号します
　
　
２．引用された刊行物記載の発明
（刊行物１について）
　これに対して、原査定の拒絶の理由に引用文献１として引用された、特開平１０−３１５５４５号公報（以下「刊行物１」という。）には、次の事項が記載されている。
　
（ａ）「【０００１】
【発明の属する技術分野】本発明は、電子写真記録の印刷機能を備えた複数の静電記録ユニットによる
異なるカラー画像の重ね合せ転写によりフルカラーの画像を印刷する画像形成装置に関し
カラー画像の位置ずれを
補正する画像形成装置
【０００２】
【従来の技術】従来、
電子写真記録を用いたカラー画像形成装置は、黒（Ｋ）、シアン（Ｃ）、マゼンタ（Ｍ）及びイエロー（Ｙ）の４色の静電記録ユニットを、記録紙の搬送方向にタンデム配置している
　　
（ｂ）「【００２１】即ち、光学書込ユニットは、複数の発光素子（発光セグメント）を主走査方向に１画素ピッチで複数配列した書込アレイ３６を有し、副走査方向での記録媒体の１／ｎ画素ピッチ毎の移動に同期した書込アレイの第１スキャン〜第ｎスキャンの時分割による発光駆動で１画素を書込む。この書込アレイ３６に対応して位置ずれ補正部１２４は、図１（Ｃ）のように、画像メモリ８２に画素データを展開する際に、画素データを副走査方向で２つに分解した高解像度画素データに変換して格納する。同時に
位置ずれ補正部１２４は
高解像度画素データについて主走査方向のずれ量Δｘ、副走査方向のずれ量Δｙ、副走査方向の偏位量（スキュー量）Δｚ
ずれ量を演算し、該ずれ量を相殺する逆方向の位置に補正する
　　
（ｃ）「【００３２】
【発明の実施の形態】
＜目    次＞
１．第１実施例の装置の構造
２．ハードウェア構成と機能
３．位置ずれ検出
４．位置ずれ補正
５．線幅の補正
６．第２〜第４実施例の説明
１．第１実施例の装置の構造
図２は本発明になる画像形成装置の第１実施例の内部構造を説明する図である。装置本体１０の内部には記録媒体例えば記録用紙を搬送させるための搬送ベルトユニット１１が設けられ、搬送ベルトユニット１１には過透性の誘電体材料、例えば適当な合成樹脂材料から作られた無端ベルト１２を回動自在に備える。無端ベルト１２は４つのローラ２２−１，２２−２，２２−３，２２−４の回りに掛け渡される。搬送ベルトユニット１１は装置本体１０に対し着脱自在に装着されている。」
　　
（ｄ）「【００３６】装置本体１０内にはＹ，Ｍ，Ｃ，Ｋの４台の静電記録ユニット２４−１，２４−２，２４−３，２４−４が設けられ、無端ベルト１２の従動ローラ２２−２と駆動ローラ２２−１との間に規定されるベルト上側の記録紙移動経路に沿って、上流から下流側に向かってＹ，Ｍ，Ｃ，Ｋの順番に直列に配置された
タンデム構造を有する
　
（ｅ）「【００５０】コントローラＭＰＵ７２は、画像メモリ８２−１〜８２−４に各カラー画素データを展開する際に、アドレス指定を行うためアドレス指定部８４を備える。アドレス指定部８４に続いては、アドレス変換部８６が設けられる。
アドレス変換部８６は
位置ずれ情報に基づき、位置ずれ補正のためのアドレス変換を行う
　
（ｆ）「【００６２】
位置ずれ演算部１２０で求める位置ずれ情報としては、
主走査方向のずれ量Δｘ、
副走査方向のずれ量Δｙ、
副走査方向の変移量（スキュー量）Δｚ
【００６３】このように
位置ずれ演算部１２０で算出された位置ずれ情報は、位置ずれ情報格納部１２２に格納される
【００６４】
位置ずれ補正部１２４は、位置ずれ補正情報格納部１２６とアドレス変換部１２８を備える
位置ずれ補正情報格納部１２６には
位置ずれ情報格納部１２２の
位置ずれ情報に基づいた位置ずれ補正情報が格納される
アドレス変換部１２８は、位置ずれ補正情報格納部１２６に格納された位置ずれ補正情報に基づき、画像メモリ８２−１〜８２−４に画素データを展開する際の位置ずれ補正のためのアドレス変換を行う
　
（ｇ）図１として、
「
 
」
　
（ｈ）図２として、
「
 
」
　
　上記摘記事項から、刊行物１に記載の「画像形成装置」は、「タンデム型の画像形成装置」であり、また、刊行物１に記載の「位置ずれ補正部１２４」は、「カラー画像の位置ずれを補正する位置ずれ補正部１２４」といえる。
　
　上記摘記事項（ｆ）の「
位置ずれ演算部１２０で求める位置ずれ情報としては、
主走査方向のずれ量Δｘ、
副走査方向のずれ量Δｙ、
副走査方向の変移量（スキュー量）Δｚ
位置ずれ演算部１２０で算出された位置ずれ情報は、位置ずれ情報格納部１２２に格納される
位置ずれ補正情報格納部１２６には
位置ずれ情報格納部１２２の
位置ずれ情報に基づいた位置ずれ補正情報が格納される
　
　したがって、上記の事項を総合すると、刊行物１には、次の発明（以下「刊行物１発明」という。）が開示されていると認められる。
　
「異なるカラー画像の重ね合せ転写によりフルカラーの画像を印刷するタンデム型の画像形成装置において、
　カラー画像の位置ずれを補正する位置ずれ補正部１２４であって、
　位置ずれ補正情報格納部１２６とアドレス変換部１２８とを備え、
　前記位置ずれ補正情報格納部１２６には、主走査方向のずれ量Δｘ、副走査方向のずれ量Δｙ、副走査方向の変移量（スキュー量）Δｚに基づいた、位置ずれ補正情報が格納され、
　前記アドレス変換部１２８は、前記位置ずれ補正情報格納部１２６に格納された前記位置ずれ補正情報に基づき、画像メモリ８２−１〜８２−４に画素データを展開する際の位置ずれ補正のためのアドレス変換を行う、
位置ずれ補正部１２４。」
　
　
３．対比
　本願発明と刊行物１発明と対比する。
　
（１）刊行物１発明の「異なるカラー画像の重ね合せ転写によりフルカラーの画像を印刷するタンデム型の画像形成装置」は、本願発明の「タンデム型画像形成装置」に相当する。
　
（２）刊行物１発明の「『画素データを展開する』『画像メモリ８２−１〜８２−４』」と、本願発明の「固定長圧縮されたデータを記憶する画像メモリ」とは、「データを記憶する画像メモリ」で共通する。
　
（３）刊行物１発明の「副走査方向の変移量（スキュー量）Δｚ」は、本願発明の「（各色の画像データに応じて感光体上にラスタ露光をする際に生じる）スキュー量」に相当し、
　刊行物１発明において、「カラー画像の位置ずれを補正する」ために「『主走査方向のずれ量Δｘ、副走査方向のずれ量Δｙ、副走査方向の変移量（スキュー量）Δｚに基づいた』『位置ずれ補正情報』」に基づいて「位置ずれ補正」を行う構成には、本願発明の「印字開始位置（について補正）」する構成が包含されるから、
　刊行物１発明の「『前記位置ずれ補正情報格納部１２６に格納された前記位置ずれ補正情報に基づき、画像メモリ８２−１〜８２−４に画素データを展開する際の位置ずれ補正のためのアドレス変換を行う』『アドレス変換部１２８』」は、本願発明の「主走査アドレスを、各色の画像データに応じて感光体上にラスタ露光をする際に生じるスキュー量および印字開始位置について補正し、補正した主走査アドレスと副走査アドレスから前記画像メモリのリードアドレスを発生するアドレス発生部」に相当する。
　
（４）刊行物１発明の「『カラー画像の位置ずれを補正する』ものであって、『位置ずれ補正情報格納部１２６とアドレス変換部１２８とを備え、前記位置ずれ補正情報格納部１２６には、主走査方向のずれ量Δｘ、副走査方向のずれ量Δｙ、副走査方向の変移量（スキュー量）Δｚに基づいた、位置ずれ補正情報が格納され、前記アドレス変換部１２８は、前記位置ずれ補正情報格納部１２６に格納された前記位置ずれ補正情報に基づき、画像メモリ８２−１〜８２−４に画素データを展開する際の位置ずれ補正のためのアドレス変換を行う』『位置ずれ補正部１２４』」と、本願発明の「画像処理装置」とは、ともに「各色の画像データに応じて感光体上にラスタ露光をする際に生じるスキュー量および印字開始位置について補正」するものであるから、「画像処理装置」で一致する。
　
（５）上記（１）〜（４）から、
　本願発明と、刊行物１発明とは、
「タンデム型画像形成装置において、
　データを記憶する画像メモリと、
　主走査アドレスを、各色の画像データに応じて感光体上にラスタ露光をする際に生じるスキュー量および印字開始位置について補正し、補正した主走査アドレスと副走査アドレスから前記画像メモリのリードアドレスを発生するアドレス発生部とを備えた、画像処理装置。」
の点で一致し、下記の点で相違する。
　
［相違点］： 
　本願発明においては、「画像処理装置」は、「各色のデータごとに主走査Ｎドット（Ｎは整数）および副走査Ｍドット（Ｍは整数）の単位で固定長圧縮をする固定長圧縮手段」及び「前記アドレス発生部で発生されたアドレスで前記画像メモリから読み出した各色の画像データを伸長する伸長部」を備えるとともに、「データを記憶する画像メモリ」は「『固定長圧縮されたデータ』を記憶する画像メモリ」であって、「固定長圧縮時に複数ラインごとに１回データを書きこみ、前記伸長部は、複数ライン内で所定ライン回数分繰り返して読み出して復号を行う」のに対し、
　刊行物１発明においては、「データを記憶する画像メモリ」は、「『画素データを展開する』『画像メモリ８２−１〜８２−４』」であって、本願発明の上記特定がない点。
　
　
４．当審の判断
　上記相違点について検討する。 
（１）相違点について 
ア　「タンデム型画像形成装置」及び「画像処理装置」において、「各色のデータごとに主走査Ｎドット（Ｎは整数）および副走査Ｍドット（Ｍは整数）の単位で固定長圧縮をする固定長圧縮手段」及び「固定長圧縮された各色のデータを伸長する伸長部」を備えるとともに、圧縮データのままで所望の画像処理（画像補正処理）を行うことは、本願の出願日前に周知である(例．原審の拒絶理由通知に引用文献２〜４として引用された、特開平９−７４４８８号公報（「【００１７】一方、図１（ｂ）の画像出力側では、固定／可変長圧縮された画像データをインタフェース部１５で取り込み、可変長伸長部１６で元の例えば１画素当りＣＭＹＫ各２ビットの固定長圧縮画像データにもどす。
その後の編集部６での画像の拡大・縮小・エリア加工等の処理、濃度γ補正部７での濃度補正、色γ補正部８でのカラーバランス補正は、全てこの固定長圧縮されたままの画像データで行う
固定長圧縮された画像データの伸長処理をはぶくことで、加工処理等を簡単化できる
固定長圧縮部１０の固定長圧縮処理には、多値誤差拡散法、多値デイザ法など、圧縮の結果、各画素の表現が２値よりも大のものが使用可能である
圧縮を固定長の圧縮手段を用いることにより、印刷装置に必要な印刷イメージデータを貯えるメモリ容量を軽減できると共に圧縮したままの印刷イメージデータを回転する手段を用い容易に回転できるため印刷装置のメモリ容量を軽減することができる
圧縮時の処理ブロック（圧縮ブロック）単位で読み出し、読み出し方向を回転させてから画像復号化部４００７へ出力する
メモリ制御部７４０１では、圧縮ブロック単位の回転を行う
　 
イ　スキュー補正は、画像の拡大・縮小・エリア加工等の処理、濃度補正、カラーバランス補正、画像の回転などと同様に、周知の画像処理（画像補正処理）の一つであるから、上記アを踏まえれば、「各色のデータごとに主走査Ｎドット（Ｎは整数）および副走査Ｍドット（Ｍは整数）の単位で固定長圧縮をする固定長圧縮手段」及び「固定長圧縮された各色のデータを伸長する伸長部」を採用するとともに、圧縮データのままでスキュー補正処理を行うべく、画像メモリのリードアドレスの補正を行うこと、すなわち、「固定長圧縮された各色の画像データを伸長する伸長部」を「アドレス発生部で発生された（補正された）アドレスで画像メモリから読み出した各色の画像データを伸長する伸長部」とすることは、当業者が上記アの周知技術に基づいて容易になし得たことである。
　 
ウ　「固定長圧縮手段」は、メモリ容量を軽減することを目的とするものであるから、「各色のデータごとに主走査Ｎドット（Ｎは整数）および副走査Ｍドット（Ｍは整数）の単位で固定長圧縮をする固定長圧縮手段」及び「固定長圧縮された各色の画像データを伸長する伸長部」の採用に伴って、「データを記憶する画像メモリ」が「『固定長圧縮されたデータ』を記憶する画像メモリ」となることは、必然の事項である。
　
エ　「各色のデータごとに主走査Ｎドット（Ｎは整数）および副走査Ｍドット（Ｍは整数）の単位で固定長圧縮をする固定長圧縮手段」及び「固定長圧縮された各色の画像データを伸長する伸長部」を備える構成において、圧縮時には、副走査方向にＭラインごとに書き込みこととなり、また、復号時には、ラインメモリを設けないのであれば、データをラスタ順とするためには、副走査方向にＭライン回数分復号することになる。
　そして、ラインメモリを省略する程度のことは、当業者が適宜採用できる設計的事項にすぎない。
　したがって、「固定長圧縮時に複数ラインごとに１回データを書きこみ、前記伸長部は、複数ライン内で所定ライン回数分繰り返して読み出して復号を行う」構成は、「各色のデータごとに主走査Ｎドット（Ｎは整数）および副走査Ｍドット（Ｍは整数）の単位で固定長圧縮をする固定長圧縮手段」及び「固定長圧縮された各色の画像データを伸長する伸長部」の採用に伴う、当然の構成といえる。
　
オ　上記イ〜エから、刊行物１発明において、「画像処理装置」は、「各色のデータごとに主走査Ｎドット（Ｎは整数）および副走査Ｍドット（Ｍは整数）の単位で固定長圧縮をする固定長圧縮手段」及び「前記アドレス発生部で発生されたアドレスで前記画像メモリから読み出した各色の画像データを伸長する伸長部」を備えるとともに、「データを記憶する画像メモリ」（「『画素データを展開する』『画像メモリ８２−１〜８２−４』」）を「『固定長圧縮されたデータ』を記憶する画像メモリ」とし、「固定長圧縮時に複数ラインごとに１回データを書きこみ、前記伸長部は、複数ライン内で所定ライン回数分繰り返して読み出して復号を行う」構成となすことは、当業者が上記アの周知技術に基づいて容易になし得たことである。 
　 
（２）本願発明が奏する効果について 
　本願発明の効果は、刊行物１に記載された事項及び周知技術から予測し得る程度のものであって、格別のものではない。 
　 
（３）まとめ 
　以上のとおり、本願発明は、当業者が刊行物１に記載された発明及び周知技術に基づいて、容易に発明をすることができたものである。 
　 
　 
５．むすび 
　以上のとおり、本願発明は、当業者が刊行物１に記載の発明及び周知技術に基づいて、容易に発明をすることができたものであるから、特許法第２９条第２項の規定により特許を受けることができない。 
　したがって、本願のその他の請求項に係る発明について検討するまでもなく、本願は拒絶すべきものである。 
　 
　よって、結論のとおり審決する。